(57)【要約】  無線ノードは、上流ノードでの第１の下り無線リンクへの送信タイミング調整において残留し得るオフセットに関する情報を前記第１の下り無線リンクから受信する受信部と、前記オフセットに関する情報に基づいて、下流ノードに向かう第２の下り無線リンクへの送信タイミングを制御する制御部と、を備える。
2020166039.tif 000002
【特許請求の範囲】
【請求項１】
上流ノードでの第１の下り無線リンクへの送信タイミング調整において残留し得るオフセットに関する情報を前記第１の下り無線リンクから受信する受信部と、
前記オフセットに関する情報に基づいて、下流ノードに向かう第２の下り無線リンクへの送信タイミングを制御する制御部と、
を備えた、無線ノード。
【請求項２】
前記オフセットに関する情報は、前記オフセットの方向に関する正又は負を示す情報を含み、
前記制御部は、前記上流ノードから受信したオフセットに関する情報とは反対の符号を含む、前記下流ノード向けのオフセットに関する情報を生成する、
請求項１に記載の無線ノード。
【請求項３】
前記制御部は、時刻同期ソースを用いて、前記下流ノード向けのオフセットに関する情報を生成する、
請求項１に記載の無線ノード。
【請求項４】
前記オフセットに関する情報は、時刻同期ソースを有する上流ノードからのホップオーダーを示す情報を含み、
前記制御部は、複数の前記上流ノードのうち、前記ホップオーダーが最も小さい前記上流ノードからの前記オフセットに関する情報を用いて、前記下流ノードに向かう前記第２の下り無線リンクへの送信タイミングを制御する、
請求項３に記載の無線ノード。
【請求項５】
前記制御部は、複数の前記上流ノードから受信した複数のオフセットに関する情報に含まれる送信タイミング調整用の時間を平均した時間を用いて、前記下流ノードに向かう前記第２の下り無線リンクへの送信タイミングを制御する、
請求項１に記載の無線ノード。
【請求項６】
無線ノードは、
上流ノードでの第１の下り無線リンクへの送信タイミング調整において残留し得るオフセットに関する情報を前記第１の下り無線リンクから受信し、
前記オフセットに関する情報に基づいて、下流ノードに向かう第２の下り無線リンクへの送信タイミングを制御する、
無線通信制御方法。
【発明の詳細な説明】
【技術分野】
【０００１】
本開示は、無線ノード及び無線通信制御方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。【０００３】
将来の無線通信システム（例えば、５Ｇ）に関して、アクセスリンクとバックホール（Backhaul；ＢＨ）リンクを統合するIntegrated Access and Backhaul（ＩＡＢ）の技術について検討されている（非特許文献１）。無線ノードの一例であるＩＡＢノードは、ユーザ端末（User Equipment（ＵＥ））と、無線のアクセスリンクを形成すると共に、他のＩＡＢノード及び／又は無線基地局と無線のＢＨリンクを形成する。
【先行技術文献】
【非特許文献】
【０００４】
【非特許文献１】3GPP TR 38.874 V16.0.0 “3rd Generation Partnership Project; Technical Specification Group Radio Access Network; NR; Study on Integrated Access and Backhaul (Release 16)”，December 2018
【発明の概要】
【発明が解決しようとする課題】
【０００５】
しかしながら、無線ノード間における送信タイミングの調整については検討が不十分である。【０００６】
本開示の一態様は、無線ノード間における送信タイミングを適切に調整することを目的の１つとする。
【課題を解決するための手段】
【０００７】
本開示の一態様に係る無線ノードは、上流ノードでの第１の下り無線リンクへの送信タイミング調整において残留し得るオフセットに関する情報を前記第１の下り無線リンクから受信する受信部と、前記オフセットに関する情報に基づいて、下流ノードに向かう第２の下り無線リンクへの送信タイミングを制御する制御部と、を備える。
【発明の効果】
【０００８】
本開示によれば、無線ノード間におけるデータの送信タイミングを適切に調整できる。
【図面の簡単な説明】
【０００９】
【図１】本実施の形態に係る無線通信システムの構成例を示す図である。
【図２】本実施の形態に係るＩＡＢノードの構成例を示す図である。
【図３】本実施の形態に係る無線区間のタイミングアライメント（timing alignment）を説明するための図である。
【図４】本実施の形態に係るマルチホップトポロジーと残留誤差を説明するための図である。
【図５】本実施の形態に係る子ＩＡＢノードが複数の親ＩＡＢノードを有する例を示す図である。
【図６】本実施の形態に係る残留誤差符号を説明するための図である。
【図７】本開示に係るＩＡＢノード及びユーザ端末のハードウェア構成の例を示す図である。
【発明を実施するための形態】
【００１０】
以下、本開示の実施の形態について、図面を参照して説明する。
【００１１】
（本実施の形態）
＜システム構成＞
図１は、無線通信システムの構成例を示す。
【００１２】
無線通信システム１は、無線ノードの一例である複数のＩＡＢノード１０Ａ〜１０Ｃと、ユーザ端末の一例であるＵＥ２０とを含む。以下、ＩＡＢノード１０Ａ〜１０Ｃを区別しないで説明する場合には、「ＩＡＢノード１０」のように、参照符号のうち共通番号のみを使用することがある。
【００１３】
ＩＡＢノード１０Ａ〜１０Ｃは、それぞれ、無線通信によって、他のＩＡＢノード１０に接続する。図１に示すように、ＩＡＢノード１０Ｂは、ＩＡＢノード１０Ａ及びＩＡＢノード１０Ｃに接続する。ＩＡＢノード１０ＡとＩＡＢノード１０Ｂとの関係に注目すると、ＩＡＢノード１０ＡはＩＡＢノード１０Ｂよりも１つ上流に位置する。別言すると、ＩＡＢノード１０ＢはＩＡＢノード１０Ａよりも１つ下流に位置する。よって、ＩＡＢノード１０ＡはＩＡＢノード１０Ｂにとっての親ＩＡＢノード、ＩＡＢノード１０ＢはＩＡＢノード１０Ａにとっての子ＩＡＢノードと呼ばれてよい。ここで、「下流」はＩＡＢドナーから遠ざかる方向であり、「上流」はＩＡＢドナーに近づく方向である。
【００１４】
ＩＡＢノード１０Ａ〜１０Ｃは、それぞれ、無線通信可能なエリアであるセルを形成する。すなわち、ＩＡＢノード１０は、基地局としての機能を有する。セル内のＵＥ２０は、当該セルを形成するＩＡＢノード１０に無線接続できる。
【００１５】
ＩＡＢノード１０ＡがＩＡＢドナーである場合、ＩＡＢノード１０Ａは、ファイバＢＨ等の送受信手段を通じて、コアネットワーク（Core Network（ＣＮ））等の通信システムに接続する。なお、ファイバＢＨは、光ファイバに限らず、データを送受信できる手段であればよい。また、ＩＡＢノード１０Ａとコアネットワーク等の間の送受信手段は、大容量の無線を用いたものであってもよい。なお、無線通信システム１に含まれるＩＡＢノード１０の数及びＵＥ２０の数は、図１の例に限られない。例えば、ＩＡＢノード１０Ｂに接続される親ＩＡＢノード１０Ａは、２以上であってもよい。また、ＩＡＢノード１０Ｂに接続される子ＩＡＢノード１０Ｃは、２以上であってもよい。また、ＩＡＢノード１０Ｂに接続されるＵＥ２０は、２以上であってもよい。
【００１６】
図１に示すＬとその添え字は以下を示す。
・ＬＰ，ＤＬは、親ＩＡＢノード１０ＡからＩＡＢノード１０ＢへのＤｏｗｎｌｉｎｋ（ＤＬ；下りリンク）を示す。
・ＬＰ，ＵＬは、ＩＡＢノード１０Ｂから親ＩＡＢノード１０ＡへのＵｐｌｉｎｋ（ＵＬ；上りリンク）を示す。
・ＬＣ，ＤＬは、ＩＡＢノード１０Ｂから子ＩＡＢノード１０ＣへのＤＬを示す。
・ＬＣ，ＵＬは、子ＩＡＢノード１０ＣからＩＡＢノード１０ＢへのＵＬを示す。
・ＬＡ，ＤＬは、ＩＡＢノード１０ＢからＵＥ２０へのＤＬを示す。
・ＬＡ，ＵＬは、ＵＥ２０からＩＡＢノード１０ＢへのＵＬを示す。
【００１７】
ＬＡ，ＤＬ及び／又はＬＡ，ＵＬは、アクセスリンクと呼ばれる。ＬＰ，ＤＬ、ＬＰ，ＵＬ、ＬＣ，ＤＬ及び／又はＬＣ，ＵＬは、ＢＨリンクと呼ばれる。
【００１８】
＜ＩＡＢノード＞
図２は、ＩＡＢノード１０の構成例を示す。
【００１９】
図２に示すように、ＩＡＢノード１０は、制御部１００と、Mobile-Termination（ＭＴ）１０２と、Distributed Unit（ＤＵ）１０３とを有する。なお、ＭＴ１０２及びＤＵ１０３は、機能ブロックであってよい。以下、ＭＴ１０２の機能を表現する場合、ＭＴのように参照符号を付さずに表現し、ＤＵ１０３の機能を表現する場合、ＤＵのように参照符号を付さずに表現する場合がある。また、ＤＵ１０３は、基地局に相当する機能を有してよい。また、ＤＵ１０３は、無線部分の処理を行う張出局と、無線部分以外の処理を行う集約局とを備える基地局における、張出局に相当する機能を有してもよい。また、ＭＴ１０２の一例は、端末に相当する機能を有してよい。
【００２０】
ＩＡＢノード１０ＢのＭＴ１０２は、親ＩＡＢノード１０ＡとのＢＨリンク（以下「親リンク」という）を制御する。ＩＡＢノード１０ＢのＤＵ１０３は、子ＩＡＢノード１０ＣとのＢＨリンク、及び／又は、ＵＥ２０とのアクセスリンクを制御する。以下、子ＩＡＢノード１０ＣとのＢＨリンク及び／又はＵＥ２０とのアクセスリンクを、「子リンク」という。
【００２１】
制御部１００は、ＭＴ１０２及びＤＵ１０３を制御する。なお、後述するＩＡＢノード１０の動作は、当該制御部１００がＭＴ１０２及びＤＵ１０３を制御することによって実現されてよい。また、制御部１００は、各種情報を記憶するための記憶部を備えてもよい。
【００２２】
親リンクと子リンクとの間には、半二重制約（half-duplex constraint）が適用されてよい。半二重制約を実現するために、親リンクと子リンクには、Time Division Multiplexing（ＴＤＭ）が適用されてよい。この場合、時間リソースは、親リンクと子リンクのうちの何れか一方が利用できてよい。なお、ＴＤＭの適用は一例であり、例えば、Frequency Division Multiplexing（ＦＤＭ）、又は、Space Division Multiplexing（ＳＤＭ）が適用されてもよい。
【００２３】
親リンクにおける時間リソース（以下「ＭＴリソース」という）には、次の何れかのタイプが設定される。
・ＤＬタイプが設定されたＭＴリソース（以下「ＭＴ−Ｄ」という）は、ＬＰ，ＤＬとして利用される。
・ＵＬタイプが設定されたＭＴリソース（以下「ＭＴ−Ｕ」という）は、ＬＰ，ＵＬとして利用される。
・Ｆｌｅｘｉｂｌｅ（ＦＬ）タイプが設定されたＭＴリソース（以下「ＭＴ−Ｆ」という）は、ＬＰ，ＤＬ又はＬＰ，ＵＬとして利用される。
【００２４】
ＭＴリソースは、親ＩＡＢノード１０Ａとの通信に用いられるリソース、親ＩＡＢノード１０Ａとのバックホールリンクの通信に用いられるリソース、或いは、サービングセルとの通信に用いられるリソースといった他の表現に読み替えられてもよい。また、ＭＴリソースは、第１の無線区間のリソースの一例であってもよい。
【００２５】
子リンクにおける時間リソース（以下「ＤＵリソース」という）には、次の何れかのタイプが設定される。
・ＤＬタイプが設定されたＤＵリソース（以下「ＤＵ−Ｄ」という）は、ＬＣ，ＤＬ又はＬＡ，ＤＬとして利用されてよい。
・ＵＬタイプが設定されたＤＵリソース（以下「ＤＵ−Ｕ」という）は、ＬＣ，ＵＬ又はＬＡ，ＵＬとして利用されてよい。
・ＦＬタイプが設定されたＤＵリソース（以下「ＤＵ−Ｆ」という）は、ＬＣ，ＤＬ、ＬＣ，ＵＬ、ＬＡ，ＤＬ又はＬＡ，ＵＬとして利用されてよい。
・Not-Available（ＮＡ）タイプが設定されたＤＵリソース（以下「ＤＵ−ＮＡ」という）は、子リンクには利用されない。
【００２６】
ＤＵリソースは、子ＩＡＢノード１０Ｃ及び／又はＵＥ２０との通信に用いられるリソース、子ＩＡＢノード１０Ｃとのバックホールリンク及び／又はＵＥ２０とのアクセスリンクとの通信に用いられるリソースといった他の表現に読み替えられてもよい。また、ＤＵリソースは、第２の無線区間のリソースの一例であってもよい。
【００２７】
さらに、ＤＵ−Ｄ、ＤＵ−Ｕ及びＤＵ−Ｆには、次の何れかのタイプが設定される。
・Ｈａｒｄタイプが設定されたＤＵリソースは、子リンクに利用され、親リンクに利用されない。以下、Ｈａｒｄタイプが設定されたＤＵリソースを「ＤＵ（Ｈ）」と表現する場合がある。
・Ｓｏｆｔタイプが設定されたＤＵリソースは、親ＩＡＢノード１０Ａからの明示的及び／又は暗示的な指示によって、子リンクに利用できるかどうか（以下「利用可能性（Availability）」という）が決定される。以下、Ｓｏｆｔタイプが設定されたＤＵリソースを「ＤＵ（Ｓ）」と表現する場合がある。
【００２８】
なお、ＤＵリソースにおける、ＤＬ、ＦＬ、ＦＬ及びＮＡの設定、並びに、Ｓｏｆｔ及びＨａｒｄの設定については、準静的（Semi-static）に設定されてもよい。例えば、これらＤＵ向けの設定は、ＲＲＣパラメータによって設定されてもよい。ＲＲＣは、Radio Resource Controlの略である。なお、ＲＲＣパラメータは、ＲＲＣシグナリング、ＲＲＣメッセージ、又はＲＲＣ設定といった他の用語に読み替えられてよい。また、これらＤＵ向けの設定は、Ｆ１−ＡＰパラメータによって設定されてもよい。なお、Ｆ１−ＡＰパラメータは、Ｆ１−ＡＰシグナリング、又はＦ１−ＡＰメッセージといった他の用語に読み替えられてよい。
【００２９】
＜検討＞
ＩＡＢノード１０間のOver-The-Air（ＯＴＡ）における送信タイミングのアライメントについて説明する。なお、アライメントは、整列、位置合わせ、位置揃え、又は、同期といった他の用語に読み替えられてもよい。
【００３０】
送信タイミングのアライメントのために、ＩＡＢノード１０は、ＤＬ送信タイミングを、ＤＬ受信タイミングよりもＴＡ／２＋Ｔｄｅｌｔａ時間分、前方（ahead）にセットしてよい。なお、ＴＡは、Timing Advanceの略である。
【００３１】
Ｔｄｅｌｔａは、親ＩＡＢノード１０ＡにおけるＤＬ送信タイミングとＵＬ受信タイミングとの間のオフセットといった要因を考慮するための値である。当該要因は、例えば、送信から受信へのスイッチング時間、及び／又は、ハードウェアの悪化（impairments）などである。Ｔｄｅｌｔａは、親ＩＡＢノード１０Ａから子ＩＡＢノード１０Ｂへシグナリングされてよい。
【００３２】
ＴＡは、ＵＬ送信タイミングとＤＬ受信タイミングとの間のタイミングギャップを示す値である。ＴＡは、既存のメカニズムに基づいて導出されてよい。
【００３３】
ＩＡＢノード１０間の無線区間において用いるＴｄｅｌｔａについて、例えば、以下の検討が不十分である。
・Ｔｄｅｌｔａの値の範囲と粒度
・Ｔｄｅｌｔａの非周期的又は周期的な更新
・Ｔｄｅｌｔａに含まれる、ＩＡＢノードのタイミングを調整する（adjust）ための、他のタイミング悪化要因
・ＩＡＢノード１０Ｂが複数（multiple）の親ＩＡＢノード１０Ａを有する場合におけるタイミングアライメント
【００３４】
次に、図３を参照して、タイミングアライメントの一例について説明する。
【００３５】
例えば、図３に示すように、親ＩＡＢノード１０Ａにおける、ＤＬ送信タイミングとＵＬ受信タイミングと間のズレを、２Ｔｄｅｌｔａ時間分とする。また、親ＩＡＢノード１０Ａから子ＩＡＢノード１０Ｂへの伝搬遅延時間を、Ｔｐｒｏｐとする。この場合、親ＩＡＢノード１０Ａは、子ＩＡＢノード１０ＢのＭＴのＵＬ送信タイミングに適用するＴＡが、２Ｔｐｒｏｐ＋２Ｔｄｅｌｔａとなるように指示をしてよい。そして、子ＩＡＢノード１０Ｂは、ＤＵのＤＬ送信タイミングを、ＭＴのＤＬ受信タイミングよりも、ＴＡ／２−Ｔｄｅｌｔａ時間分、前方にセットしてよい。これにより、親ＩＡＢノード１０ＡのＤＬ送信タイミングと、子ＩＡＢノード１０ＢのＤＵのＤＬ送信タイミングとがアライメントされる。なお、「算出」は、「決定」又は「判断」といった他の用語に読み替えられてもよい。
【００３６】
Ｔｄｅｌｔａの粒度の限界により、図４に示すようなマルチホップトポロジーでは、ホップ数が増加するにつれてＤＬ送信タイミングには、残留誤差（residual error）が蓄積され得る。
【００３７】
例えば、図４に示すように、ＩＡＢドナーに対してＩＡＢノード＃１〜＃４が直列に接続されるマルチホップトポロジーを想定する。ＩＡＢドナーが指示するＴｄｅｌｔａ１には、残留誤差ε１が含まれ得る。同様に、ＩＡＢノード＃１〜＃３が指示するＴｄｅｌｔａ２〜Ｔｄｅｌｔａ４には、それぞれ、残留誤差ε２〜ε４が含まれ得る。したがって、ＩＡＢノード＃４は、ＩＡＢノード＃３から指示されたＴＡ４及びＴｄｅｌｔａ４を用いて、ＤＵのＤＬ送信タイミングのアライメントを行った場合、Ｔｄｅｌｔａ４に蓄積された残留誤差ε１〜ε４により、ＤＵのＤＬ送信タイミングと、上流のＩＡＢノード１０のＤＬ送信タイミングとの間にて、送信タイミングがアライメントされない可能性がある。
【００３８】
また、図５に示すように、子ＩＡＢノード１０Ｂが複数の親ＩＡＢノード１０Ａ＃１，＃２を有する場合に、子ＩＡＢノード１０ＢがＤＬ送信タイミングをどのように決定するについて、検討が不十分である。
【００３９】
すなわち、親ＩＡＢノード１０ＡにおけるＴｄｅｌｔａの生成方法、及び、親ＩＡＢノード１０Ａから指示されたＴｄｅｌｔａの子ＩＡＢノード１０Ｂにおける使用方法について、検討が不十分である。以下、当該検討が不十分な点に対する新たな提案について説明する。
【００４０】
＜提案＞
Ｔｄｅｌｔａの生成、及び、指示されたＴｄｅｌｔａに基づくＤＬ送信タイミングの決定は、複数のＩＡＢノード１０が、タイミングアライメントのためのＤＬ送信タイミングを適切に決定できるために、仕様化（specify）されてよい。
【００４１】
次に、親ＩＡＢノード１０ＡにおけるＴｄｅｌｔａの生成方法、及び、子ＩＡＢノード１０ＢにおけるＤＬ送信タイミングの決定方法について説明する。
【００４２】
＜親ＩＡＢノード１０ＡにおけるＴｄｅｌｔａの生成方法＞
次に、親ＩＡＢノード１０ＡでのＴｄｅｌｔａの生成方法の例として、（Ａ１）及び（Ａ２）を説明する。なお、（Ａ１）及び（Ａ２）は、両方が適用されてもよいし、何れか一方が適用されてもよい。
【００４３】
（Ａ１）
Ｔｄｅｌｔａは、ＴＡ／２−Ｔｄｅｌｔａに基づいて子ＩＡＢノード１０ＢのＤＬ送信タイミングが、親ＩＡＢノード１０ＡのＤＬ送信タイミングに揃えられるために、生成されてよい。
【００４４】
この場合、Ｔｄｅｌｔａの粒度は限られるため、残留誤差が存在し得る。なお、残留誤差は、残留オフセット（residual offset）といった他の用語に読み替えられてもよい。
【００４５】
予期される（expected）残留誤差の正（positive）又は負（negative）を示す情報（以下「残留誤差符号」という）は、Ｔｄｅｌｔａの値と共に、子ＩＡＢノード１０Ｂへ指示（例えばシグナリング）されてよい。この場合、子ＩＡＢノード１０Ｂは、指示された残留誤差符号とは反対の符号方向に残留誤差を丸めてＴｄｅｌｔａを生成してよい。
【００４６】
図６を参照して一例を説明する。図６に示すように、親ＩＡＢノード１０Ａは、子ＩＡＢノード１０Ｂへ指示できるＴｄｅｌｔａの粒度は限られるため、算出した粒度のＴｄｅｌｔａの値を、指示するＴｄｅｌｔａの粒度に丸めてよい。すなわち、親ＩＡＢノード１０Ａは、算出した粒度のＴｄｅｌｔａの値に対して端数処理を行ってよい。ここで、親ＩＡＢノード１０Ａは、算出した粒度のＴｄｅｌｔａを、小さくなる方向（以下「負方向」という）、又は、大きくなる方向（以下「正方向」という）の何れかに丸めてよい。そして、親ＩＡＢノード１０Ａは、算出した粒度のＴｄｅｌｔａを、負方向に丸めた場合は、負の残留誤差符号を生成し、正方向に丸めた場合は、正の残留誤差符号を生成してよい。
【００４７】
子ＩＡＢノード１０Ｂもまた、Ｔｄｅｌｔａを算出し、この算出した粒度のＴｄｅｌｔａを、さらに下流のＩＡＢノード１０Ｃへ指示するＴｄｅｌｔａの粒度に丸める。このとき、子ＩＡＢノード１０Ｂは、算出した粒度のＴｄｅｌｔａの値を、親ＩＡＢノード１０Ａから指示された残留誤差符号とは反対の符号の方向に丸めてよい。例えば、子ＩＡＢノード１０Ｂは、親ＩＡＢノード１０Ａから正の残留誤差符号が指示された場合、算出した粒度のＴｄｅｌｔａの値を、負方向に丸めてよい。例えば、子ＩＡＢノード１０Ｂは、親ＩＡＢノード１０Ａから負の残留誤差符号が指示された場合、算出した粒度のＴｄｅｌｔａの値を、正方向に丸めてよい。
【００４８】
残留誤差符号は、例えば、次の（Ｂ１）及び／又は（Ｂ２）のように扱われてよい。
【００４９】
（Ｂ１）予期される残留誤差の絶対値が極めて小さい（例えば第１の閾値未満である）場合、残留誤差符号は、無視されてよい。例えば、子ＩＡＢノード１０Ｂは、算出した粒度のＴｄｅｌｔａにおいて予期される残留誤差の絶対値が第１の閾値未満である場合、指示された残留誤差符号を無視して、算出した粒度のＴｄｅｌｔａを丸めてよい。例えば、親ＩＡＢノード１０Ａは、算出した粒度のＴｄｅｌｔａにおいて予期される残留誤差の絶対値が第１の閾値未満である場合、子ＩＡＢノード１０Ｂに対して残留誤差符号を指示しなくてもよい。
【００５０】
（Ｂ２）予期される残留誤差の絶対値が少し大きい（例えば第２の閾値以上である）場合、親ＩＡＢノード１０Ａによって指示された残留誤差符号とは反対の符号が選択されてよい。例えば、子ＩＡＢノード１０Ｂは、算出した粒度のＴｄｅｌｔａにおいて予期される残留誤差の絶対値が第２の閾値以上である場合、当該算出した粒度のＴｄｅｌｔａを、指示された残留誤差符号とは反対の符号の方向に丸めてよい。この（Ｂ２）は、正方向の残留誤差の絶対値と負方向の残留誤差の絶対値とが同等の大きさ（例えば当該２つの残留誤差の絶対値の差分が第３の閾値未満）である場合に適用されてよい。また、算出した粒度のＴｄｅｌｔａは、正方向の残留誤差の絶対値と負方向の残留誤差の絶対値との差分が第３の閾値以上である場合、残留誤差の絶対値の小さい符号方向に丸められてよい。
【００５１】
上記（Ａ１）のＴｄｅｌｔａの生成方法によれば、各ＩＡＢノード１０において、Ｔｄｅｌｔａが残留誤差を互いに打ち消す方向に丸められるため、ホップ数の増加に伴う残留誤差の蓄積を抑制できる。よって、各ＩＡＢノード１０のＤＬ送信タイミングがアライメントされる。
【００５２】
（Ａ２）
ＩＡＢノード１０が正確な時刻同期ソース（例えば、Global Navigation Satellite System（ＧＮＳＳ））を有する場合、子ＩＡＢノードに指示されるＴｄｅｌｔａは、当該時刻同期ソースを用いて調整されてよい。
【００５３】
すなわち、ＩＡＢノード１０Ｂが時刻同期ソースを有する場合、ＤＬ送信タイミングは、親ＩＡＢノード１０ＡからのＤＬ受信タイミング、ＴＡ及びＴｄｅｌｔａに基づいて、決定されてよい。一方、ＩＡＢノード１０Ｂが指示するＴｄｅｌｔａは、当該時刻同期ソースを用いて調整されてよい。
【００５４】
この場合、Ｔｄｅｌｔａは、ＴＡ／２−Ｔｄｅｌｔａに基づく子ＩＡＢノード１０ＢのＤＬ送信タイミングが、時刻同期ソースによって導出される理想的なＤＬ送信タイミングとアライメントされるために、生成されてよい。
【００５５】
また、親ＩＡＢノード１０Ａは、無線通信システム１のネットワークが意図するＤＬ送信タイミングの絶対時刻（つまり理想的なＤＬ送信タイミング）に関する情報を、子ＩＡＢノード１０Ｂへ指示してもよい。
【００５６】
また、時刻同期ソースを有するＩＡＢノード１０からのホップオーダー（hop order）が、Ｔｄｅｌｔａと共に、子ＩＡＢノード１０Ｂへ指示されてよい。
【００５７】
上記（Ａ２）のＴｄｅｌｔａの生成方法によれば、時刻同期ソースを有するＩＡＢノード１０において算出されるＴｄｅｌｔａにおいて、残留誤差の蓄積がリセットされるため、ホップ数の増加に伴う残留誤差の蓄積を抑制できる。よって、各ＩＡＢノード１０のＤＬ送信タイミングがアライメントされる。
【００５８】
＜子ＩＡＢノード１０ＢにおけるＤＬ送信タイミングの決定方法＞
次に、親ＩＡＢノード１０Ａから指示されたＴｄｅｌｔａに基づく子ＩＡＢノード１０ＢでのＤＬ送信タイミングの決定方法の例として、（Ａｌｔ．Ｃ１）及び（Ａｌｔ．Ｃ２）を説明する。なお、（Ａｌｔ．Ｃ１）及び（Ａｌｔ．Ｃ２）は、何れか一方が適用されてよい。
【００５９】
（Ａｌｔ．Ｃ１）
図５に例示するように、子ＩＡＢノード１０Ｂが複数の親ＩＡＢノード１０Ａ＃１，＃２を有する場合、子ＩＡＢノード１０Ｂは、タイミングアライメントの目的において、次の動作を行ってよい。すなわち、子ＩＡＢノード１０Ｂは、複数の親ＩＡＢノード１０Ａ＃１，＃２のうち、より小さいホップオーダーの親ＩＡＢノード１０Ａを１つ選択してよい。タイミングアライメントの目的とは、例えば、ＤＬ送信タイミングの決定の目的、及び／又は、Ｔｄｅｌｔａの生成の目的であってよい。
【００６０】
ホップオーダーは、親ＩＡＢノード１０Ａから指示されてよい。当該指示されるホップオーダーは、ＩＡＢドナーからのホップオーダーであってよい。或いは、当該指示されるホップオーダーは、上述した時刻同期ソースを有するＩＡＢノード１０からのホップオーダーであってよい。
【００６１】
より小さなホップオーダーの親ＩＡＢノード１０Ａによって導出された値（例えばＴｄｅｌｔａ）と、より大きなホップオーダーの親ＩＡＢノード１０Ａによって導出された値（例えばＴｄｅｌｔａ）との差分は、より大きなホップオーダーを有する親ＩＡＢノード１０Ａへ報告されてよい。すなわち、ＤＬ送信タイミングは、１つの親ＩＡＢノード１０Ａからの指示に基づいて決定されてよい。一方で、Ｔｄｅｌｔａの指示は、子ＩＡＢノード１０Ｂからの当該報告を用いて調整されてよい。これにより、より大きなホップオーダーを有する親ＩＡＢノード１０Ａは、子ＩＡＢノード１０Ｂから報告された当該差分を用いて、Ｔｄｅｌｔａの精度を向上させることができる。
【００６２】
（Ａｌｔ．Ｃ２）
ＤＬ送信タイミングは、複数の親ＩＡＢノード１０Ａの各々が導出した値（例えばＴｄｅｌｔａ）の平均値によって導出されてよい。この場合、以下の（Ａｌｔ．Ｃ２−１）、（Ａｌｔ．Ｃ２−２）及び（Ａｌｔ．Ｃ２−３）のうちの何れか１つが適用されてよい。
【００６３】
（Ａｌｔ．２−１）平均化は、複数の親ＩＡＢノード１０Ａが共通のホップオーダーを有する場合に許可されてよい。或いは、平均化は、複数の親ＩＡＢノード１０Ａのホップオーダーが所定の範囲内である場合に許可されてよい。或いは、平均化は、複数の親ＩＡＢノード１０Ａにおけるホップオーダーの差分が所定の範囲内である場合に許可されてよい。
【００６４】
（Ａｌｔ．２−２）平均化は、親ＩＡＢノード１０Ａのホップオーダーに関わらず、許可されてよい。
【００６５】
（Ａｌｔ．２−３）ホップオーダーに基づく重み付けを伴う平均化が許可されてもよい。例えば、より小さいホップオーダーを伴うＩＡＢノード１０には、平均化において、より大きな重み付けが適用されてよい。
【００６６】
上記の指示されたＴｄｅｌｔａに基づくＤＬ送信タイミングの決定方法によれば、子ＩＡＢノード１０Ｂは、複数の親ＩＡＢノード１０Ａを有する場合であっても、Ｔｄｅｌｔａに基づいて、ＤＬ送信タイミングを決定できる。
【００６７】
＜本実施の形態のまとめ＞
本実施の形態では、ＩＡＢノード１０Ｂは、上流ノードでの第１の下り無線リンクへの送信タイミング調整において残留し得るオフセットに関する情報を第１の無線リンクから受信する受信部と、オフセットに関する情報に基づいて、下流ノードに向かう第２の下り無線リンクへの送信タイミングを制御する制御部と、を備える。ここで、オフセットに関する情報には、上述の残留誤差符号が含まれてよい。また、ホップオーダーに応じてオフセットに関する情報が変化し得るため、オフセットに関する情報には、上述のホップオーダーを示す情報が含まれてよい。
【００６８】
上記構成によれば、ホップ数の増加に伴う残留誤差の蓄積を抑制できるので、各ＩＡＢノード１０のＤＬ送信タイミングがアライメントされる。
【００６９】
＜ハードウェア構成等＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７０】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting unit）や送信機（transmitter）と呼称される。いずれも、上述したとおり、実現方法は特に限定されない。
【００７１】
例えば、本開示の一実施の形態における基地局、ユーザ端末などは、本開示の無線通信方法の処理を行うコンピュータとして機能してもよい。図７は、本開示の一実施の形態に係るＩＡＢノード及びＵＥのハードウェア構成の一例を示す図である。上述のＩＡＢノード１０及びＵＥ２０は、物理的には、プロセッサ１００１、メモリ１００２、ストレージ１００３、通信装置１００４、入力装置１００５、出力装置１００６、バス１００７などを含むコンピュータ装置として構成されてもよい。
【００７２】
なお、以下の説明では、「装置」という文言は、回路、デバイス、ユニットなどに読み替えることができる。ＩＡＢノード１０及びＵＥ２０のハードウェア構成は、図に示した各装置を１つ又は複数含むように構成されてもよいし、一部の装置を含まずに構成されてもよい。
【００７３】
ＩＡＢノード１０及びＵＥ２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００７４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１００、ＭＴ１０２、及びＤＵ１０３などは、プロセッサ１００１によって実現されてもよい。
【００７５】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ＵＥ２０の制御部は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【００７６】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【００７７】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００７８】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、ＩＡＢノード１０及びＵＥ２０が備えるアンテナなどは、通信装置１００４によって実現されてもよい。送受信部は、送信部と受信部とで、物理的に、または論理的に分離された実装がなされてもよい。
【００７９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００８０】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００８１】
また、ＩＡＢノード１０及びＵＥ２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００８２】
＜情報の通知、シグナリング＞
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００８３】
＜適用システム＞
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００８４】
＜処理手順等＞
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００８５】
＜基地局の動作＞
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【００８６】
＜入出力の方向＞
情報等（※「情報、信号」の項目参照）は、上位レイヤ（又は下位レイヤ）から下位レイヤ（又は上位レイヤ）へ出力され得る。複数のネットワークノードを介して入出力されてもよい。
【００８７】
＜入出力された情報等の扱い＞
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００８８】
＜判定方法＞
判定は、１ビットで表される値（０か１か）によって行われてもよいし、真偽値（Boolean：true又はfalse）によって行われてもよいし、数値の比較（例えば、所定の値との比較）によって行われてもよい。
【００８９】
＜態様のバリエーション等＞
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【００９０】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【００９１】
＜ソフトウェア＞
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００９３】
＜情報、信号＞
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【００９５】
＜「システム」、「ネットワーク」＞
本開示において使用する「システム」及び「ネットワーク」という用語は、互換的に使用される。
【００９６】
＜パラメータ、チャネルの名称＞
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００９７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００９８】
＜基地局＞
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【００９９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１００】
＜移動局＞
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１０１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１０２】
＜基地局／移動局＞
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１０３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
同様に、本開示におけるユーザ端末は、基地局で読み替えてもよい。この場合、上述のユーザ端末２０が有する機能を基地局１０が有する構成としてもよい。
【０１０４】
＜用語の意味、解釈＞
本開示で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１０５】
「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１０６】
＜参照信号＞
参照信号は、ＲＳ（Reference  Signal）と略称することもでき、適用される標準によってパイロット（Pilot）と呼ばれてもよい。
【０１０７】
＜「に基づいて」の意味＞
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０８】
＜「第１の」、「第２の」＞
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１０９】
＜「手段」＞
上記の各装置の構成における「手段」を、「部」、「回路」、「デバイス」等に置き換えてもよい。
【０１１０】
＜オープン形式＞
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１１１】
＜ＴＴＩ等の時間単位、ＲＢなどの周波数単位、無線フレーム構成＞
無線フレームは時間領域において１つ又は複数のフレームによって構成されてもよい。時間領域において１つ又は複数の各フレームはサブフレームと呼ばれてもよい。
【０１１２】
サブフレームは更に時間領域において１つ又は複数のスロットによって構成されてもよい。サブフレームは、ニューメロロジー（numerology）に依存しない固定の時間長（例えば、１ｍｓ）であってもよい。
【０１１３】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１１４】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０１１５】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１１６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１１７】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１１８】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１１９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１２０】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１２１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１２２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１２３】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１２４】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１２５】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１２６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１２７】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１２８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１２９】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１３０】
＜最大送信電力＞
本開示に記載の「最大送信電力」は、送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０１３１】
＜冠詞＞
本開示において、例えば、英語でのa、an及びtheのように、翻訳により冠詞が追加された場合、本開示は、これらの冠詞の後に続く名詞が複数形であることを含んでもよい。
【０１３２】
＜「異なる」＞
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【産業上の利用可能性】
【０１３３】
本開示の一態様は、無線通信システムに有用である。
【符号の説明】
【０１３４】
１０，１０Ａ，１０Ｂ，１０Ｃ  ＩＡＢノード
２０  ＵＥ
１００  制御部
１０２  ＭＴ
１０３  ＤＵ
【図１】
2020166039.tif 000003
【図２】
2020166039.tif 000004
【図３】
2020166039.tif 000005
【図４】
2020166039.tif 000006
【図５】
2020166039.tif 000007
【図６】
2020166039.tif 000008
【図７】
2020166039.tif 000009
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
複数のバックホールリンク間でのタイミング調整のためのオフセットに関する情報を親ノードから受信する受信部と、
前記オフセットに関する情報に基づいて、前記親ノードからの信号の送信と前記受信部による前記信号の受信との間の時間差を算出し、前記時間差を用いて、ＤＵ（Distributed Unit）送信時間を決定する制御部と、
を備えた無線ノード。
【請求項２】
前記制御部は、前記オフセットに関する情報及びＴＡ（Timing Advance）に基づいて、前記時間差を算出する、
請求項１に記載の無線ノード。
【請求項３】
前記受信部は、前記オフセットに関する情報を、ＭＡＣ（Medium Access Control）シグナリングを介して受信する、
請求項１に記載の無線ノード。
【請求項４】
無線ノードは、
複数のバックホールリンク間でのタイミング調整のためのオフセットに関する情報を親ノードから受信し、
前記オフセットに関する情報に基づいて、前記親ノードからの信号の送信と前記無線ノードによる前記信号の受信との間の時間差を算出し、前記時間差を用いて、ＤＵ（Distributed Unit）送信時間を決定する、
無線通信方法。
【請求項５】
前記無線ノードは、
前記オフセットに関する情報及びＴＡ（Timing Advance）に基づいて、前記時間差を算出する、
請求項４に記載の無線通信方法。
【請求項６】
前記無線ノードは、
前記オフセットに関する情報を、ＭＡＣ（Medium Access Control）シグナリングを介して受信する、
請求項４に記載の無線通信方法。
【国際調査報告】
2020166039.tif 000010
2020166039.tif 000011
2020166039.tif 000012